(57)【要約】【課題】解像度の異なる複数の素材収録用サーバを備えた二重化構成の素材収録システムにおいて、各サーバの負荷を分散して安定なシステム運用を可能とする。【解決手段】上位制御装置３からＨＤ素材の収録指示を受けて、高解像度（ＨＤ：High Definition）素材収録用サーバ１０１，２０１はＨＤ素材を圧縮して素材記録装置１０３，２０３に収録し、その収録を標準解像度（ＳＤ：Standard Definition）素材収録サーバ１０２，２０２に通知する。ＳＤ素材収録サーバ１０２，２０２は、ＨＤ素材収録の通知を受けて、該当するＨＤ素材を素材記録装置１０３，２０３から読み出し、他方の系のシステムへ転送して素材コピーを行う。このようにして、データ量の多いＨＤ素材の収録及びコピー処理によりＨＤ素材収録サーバ１０１，２０１に集中するＣＰＵの負荷、伝送路の使用帯域をＳＤ素材収録サーバ１０２，２０２に分散させる。【選択図】      図１
2008067221.tif 000002
【特許請求の範囲】
【請求項１】
高解像度（ＨＤ：High Definition）素材及び標準解像度（ＳＤ：Standard Definition）素材を記録する記録装置、ＨＤ素材収録指示によりＨＤ素材を圧縮して前記記録装置に収録するＨＤ素材収録用サーバ、ＳＤ素材収録指示によりＳＤ素材を圧縮して前記記録装置に収録するＳＤ素材収録用サーバを備える現用系システムと、前記現用系システムと伝送路を介して接続され、前記現用系システムと同様の記録装置、ＨＤ素材収録用サーバ、ＳＤ素材収録用サーバを備える予備系システムとを具備し、一方の系のシステムで収録されるＨＤ素材及びＳＤ素材を他方の系のシステムに転送し、その系の記録装置に収録させる素材収録システムであって、
前記現用系、予備系それぞれのＨＤ素材収録用サーバは、前記ＨＤ素材の収録を同一の系の前記ＳＤ素材収録用サーバに通知し、
前記ＳＤ素材収録用サーバは、前記ＨＤ素材の収録通知を受けて、同一の系の前記記録装置に圧縮記録されるＨＤ素材を読み出し前記他方の系のシステムに向け転送することを特徴とする素材収録システム。
【請求項２】
さらに、前記ＳＤ素材収録用サーバは、前記ＳＤ素材の収録を同一の系の前記ＨＤ素材収録用サーバに通知し、前記ＨＤ素材収録用サーバは、前記ＳＤ素材の収録通知を受けて、同一の系の前記記録装置に圧縮記録されるＳＤ素材を読み出し前記他方の系のシステムに向け転送することを特徴とする請求項１記載の素材収録システム。
【請求項３】
前記現用系、予備系それぞれのシステムは、互いに異なる内容の素材データを収録し、相互に転送し収録し合うことを特徴とする請求項１記載の素材収録システム。
【請求項４】
ＨＤ素材及びＳＤ素材を記録する記録装置、ＨＤ素材収録指示によりＨＤ素材を圧縮して前記記録装置に収録するＨＤ素材収録用サーバ、ＳＤ素材収録指示によりＳＤ素材を圧縮して前記記録装置に収録するＳＤ素材収録用サーバを備える現用系システムと、前記現用系システムと伝送路を介して接続され、前記現用系システムと同様の記録装置、ＨＤ素材収録用サーバ、ＳＤ素材収録用サーバを備える予備系システムとを具備し、一方の系のシステムで収録されるＨＤ素材及びＳＤ素材を他方の系システムに転送し、その系の記録装置に収録させる素材収録システムで用いられ、
前記現用系、予備系それぞれのＨＤ素材収録用サーバは、前記ＨＤ素材の収録を同一の系の前記ＳＤ素材収録用サーバに通知し、
前記ＳＤ素材収録用サーバは、前記ＨＤ素材の収録通知を受けて、同一の系の前記記録装置に圧縮記録されるＨＤ素材を読み出し前記他方の系のシステムに向け転送することを特徴とする素材収録方法。
【請求項５】
さらに、前記ＳＤ素材収録用サーバは、前記ＳＤ素材の収録を同一の系の前記ＨＤ素材収録用サーバに通知し、前記ＨＤ素材収録用サーバは、前記ＳＤ素材の収録通知を受けて、同一の系の前記記録装置に圧縮記録されるＳＤ素材を読み出し前記他方の系のシステムに向け転送することを特徴とする請求項４記載の素材収録方法。
【請求項６】
前記現用系、予備系それぞれのシステムは、互いに異なる内容の素材データを収録し、相互に転送し収録し合うことを特徴とする請求項４記載の素材収録方法。
【発明の詳細な説明】
【技術分野】
【０００１】
この発明は、解像度の異なる複数の素材を一方の系に収録すると共に他方の系にも収録する二重化構成の素材収録システムとその素材収録方法に関する。
【背景技術】
【０００２】
衛星放送や地上波放送等のデジタル放送は、従来のアナログ放送に比べ、デジタル映像情報の効率的な圧縮技術により、より多くの情報量を伝送することができる。このため、ハイビジョンと呼ばれている高画質な高精細テレビ（ＨＤＴＶ：High Definition Television）や５．１チャンネルといった臨場感あふれる高音質なサラウンド放送が可能となる。また、従来の画質の標準テレビ（ＳＤＴＶ：Standard Definition Television）であれば、多チャンネルを同時放送するといったサービスも可能となる。
【０００３】
このように、放送スタジオの素材収録システムには解像度の異なる複数の素材が収録される。このため、高解像度（ＨＤ：High Definition）素材収録用サーバや標準解像度（ＳＤ：Standard Definition）素材収録用サーバのように、取り扱う解像度に応じた素材収録用サーバがそれぞれ設けられている。また、現用系、予備系の二重化構成でシステムを構成することで、現用系に障害が発生した場合にシームレスに予備系に切り替え、処理を継続できるようになされている。
【０００４】
なお、従来の素材収録システムでは、ＨＤ素材やＳＤ素材等の記録方式を意識せずにビデオサーバで記録し送出する手法が提案されている（例えば、特許文献１を参照。）。
【特許文献１】特開２００２−１９１０１１公報
【発明の開示】
【発明が解決しようとする課題】
【０００５】
ところで、上述したような二重化構成の素材収録システムでは、片方の系で収録した素材を他方の系にもコピーしておく必要がある。例えば、現用系のＨＤ素材収録用サーバでＨＤ素材を圧縮記録しながら収録中の素材を予備系の記録装置に転送する。このとき、ＨＤ素材収録用サーバとＳＤ素材収録用サーバとを比較した場合、ＨＤ素材収録用サーバの方が扱うデータ量が多いため、圧縮及び転送にかかるＣＰＵの負荷や素材の転送に使用する伝送帯域が偏ってしまう。このため、ＨＤ素材収録用サーバは、ＳＤ素材収録用サーバより高い処理性能や伝送性能を必要とする。
【０００６】
この発明は上記事情に着目してなされたもので、その目的とするところは、解像度の異なる複数の素材収録用サーバを備えた二重化構成の素材収録システムにおいて、各サーバの素材の圧縮記録処理及び転送処理のマルチタスクによる負荷を分散して安定なシステム運用を可能とする素材収録システムとその素材収録方法を提供することにある。
【課題を解決するための手段】
【０００７】
上記目的を達成するためにこの発明に係わる素材収録システムとその素材収録方法は、ＨＤ素材及びＳＤ素材を記録する記録装置、ＨＤ素材収録指示によりＨＤ素材を圧縮して前記記録装置に収録するＨＤ素材収録用サーバ、ＳＤ素材収録指示によりＳＤ素材を圧縮して前記記録装置に収録するＳＤ素材収録用サーバを備える現用系システムと、前記現用系システムと伝送路を介して接続、前記現用系システムと同様の記録装置、ＨＤ素材収録用サーバ、ＳＤ素材収録用サーバを備える予備系システムとを具備し、一方の系のシステムで収録されるＨＤ素材及びＳＤ素材を他方の系システムに転送し、その系の記録装置に収録させる素材収録システムであって、前記現用系、予備系それぞれのＨＤ素材収録用サーバは、前記ＨＤ素材の収録を同一の系の前記ＳＤ素材収録用サーバに通知し、前記ＳＤ素材収録用サーバは、前記ＨＤ素材の収録通知を受けて、同一の系の前記記録装置に圧縮記録されるＨＤ素材を読み出し前記他方の系のシステムに向け転送することを特徴とする。
【０００８】
上記構成では、片方の系のＨＤ素材収録用サーバがＨＤ素材の収録を開始すると、ＨＤ素材収録用サーバはＳＤ素材収録用サーバに収録中のＨＤ素材を他方の系のへ転送させる。このような二重化システムにおいて他方の系への素材の転送処理を負荷の小さいＳＤ素材収録用サーバに割り当てることで、ＨＤ素材収録用サーバに集中する圧縮及び転送にかかるＣＰＵの負荷や素材の転送に使用する伝送帯域を分散することが可能となる。また、このように負荷を分散することにより、両方の系から収録処理を同時に行うことができるため、収録処理を効率的に行うことが可能となる。
【０００９】
また、この発明に係わる素材収録システムとその素材収録方法は、さらに、前記ＳＤ素材収録用サーバは、前記ＳＤ素材の収録を同一の系の前記ＨＤ素材収録用サーバに通知し、前記ＨＤ素材収録用サーバは、前記ＳＤ素材の収録通知を受けて、同一の系の前記記録装置に圧縮記録されるＳＤ素材を読み出し前記他方の系のシステムに向け転送することを特徴とする。
【００１０】
すなわち、他方の系のシステムへのＨＤ素材の転送処理はＳＤ素材収録用サーバが行い、ＳＤ素材の転送処理はＨＤ素材収録用サーバが行うように分担する。このように構成することにより、各サーバの負荷を均等に分散させることが可能となる。
【００１１】
また、この発明に係わる素材収録システムとその素材収録方法は、前記現用系、予備系それぞれのシステムは、互いに異なる内容の素材データを収録し、相互に転送し収録し合うことを特徴とする  
このように現用系、予備系システムの双方の収録チャネルを使って収録した素材を他方の系のシステムに転送するようにすることで、一度に収録できるデータ量が増えるため、収録処理をより効率的に行うことが可能となる。
【発明の効果】
【００１２】
したがってこの発明によれば、解像度の異なる複数の素材収録用サーバを備えた二重化構成の素材収録システムにおいて、各サーバの素材の圧縮記録処理及び転送処理のマルチタスクによる負荷を分散して安定なシステム運用を可能とする素材収録システムとその素材収録方法を提供することができる。
【発明を実施するための最良の形態】
【００１３】
以下、図面を参照しながら本発明の実施の形態を詳細に説明する。  
図１は、この発明に係わる素材収録システムの一実施形態を示す全体構成図である。  
このシステムは、現用系システム１００と、予備系システム２００と、これら２つのシステムを制御する上位制御装置３とにより構成される。現用系システム１００は、ＨＤ素材を収録するＨＤ素材収録用サーバ１０１と、ＳＤ素材を収録するＳＤ素材収録用サーバ１０２とが素材記録装置１０３に接続されるＳＡＮ（Storage Area Network）構成となっている。素材記録装置１０３にはＨＤ素材とＳＤ素材とが混在して記録される。予備系システム２００は、現用系システム１００の冗長系として設けられ、現用系システム１００と同じくＨＤ素材収録用サーバ２０１と、ＳＤ素材収録用サーバ２０２と、素材記録装置２０３とを備える。
【００１４】
このシステムでは、現用系システム１００、予備系システム２００の両方の系からＨＤ素材及びＳＤ素材の収録が可能であり、片方の系で素材を収録した場合、同時に他方の系へ素材のコピーを行う。また、サーバの低廉化や対障害性向上のため、ＨＤ素材の収録用サーバと、ＳＤ素材の収録用サーバとが別々に設けられ、ＨＤ素材収録用サーバ１０１，２０１の間、ＳＤ素材収録用サーバ１０２，２０２の間は、ギガビット・イーサネット（登録商標）などの高速なネットワークでそれぞれ接続されている。
【００１５】
図２は、ＨＤ素材収録用サーバ１０１の構成を示すブロック図である。なお、現用系システム１００のＳＤ素材収録用サーバ１０２、予備系システム２００に設けられるＨＤ素材収録用サーバ２０１及びＳＤ素材収録用サーバ２０２の構成は、ＨＤ素材収録用サーバ１０１と同様であるため構成の説明は省略する。  
ＨＤ素材収録用サーバ１０１は、中央処理ユニット（ＣＰＵ：Central Processing Unit）１１を備え、このＣＰＵ１１に制御バス１２を介して、エンコーダ１４と、制御装置インタフェース（制御装置Ｉ／Ｆ）１５と、記録装置インタフェース（記録装置Ｉ／Ｆ）１６と、入力インタフェース（入力Ｉ／Ｆ）１７と、ネットワークインタフェース（ネットワークＩ／Ｆ）１８とが接続される。
【００１６】
制御装置Ｉ／Ｆ１６は、上位制御装置３から送出される制御信号を受信するインタフェースであり、ＣＰＵ１１は、上位制御装置３からの制御信号に基づいて素材の収録及び素材のコピー処理を行う。
【００１７】
制御装置Ｉ／Ｆ１６により素材収録要求を受信すると、ＣＰＵ１１の制御の下、入力Ｉ／Ｆ１７により受け付けられた放送素材用のビデオデータ（以下、素材データ）は、一旦メモリ１３に取り込まれる。ＣＰＵ１１は、エンコーダ１４により上記素材データをメモリ１３から順次読み出し圧縮処理を行い、記録装置Ｉ／Ｆ１６を介して素材記録装置１０３に収録する。圧縮方式には、例えば、ＭＰＥＧ−２（Moving Picture Experts Group-phase2）が用いられる。
【００１８】
一方、ＣＰＵ１１は、上位制御装置３から素材コピー要求を受信すると、該当する素材データを記録装置Ｉ／Ｆ１６を介して素材記録装置１０３からメモリ１３に読み出す。ＣＰＵ１１は、メモリ１３に読み出された素材データを予備系システム２００のＨＤ素材収録用サーバ２０１に転送する。  
このように構成される素材収録システムの動作について説明する。図３は、この素材収録システムの素材収録動作の手順を示すシーケンス図である。なお、ここでは、現用系システム１００に収録された素材を予備系システム２００にコピーをする場合について説明を行う。  
ＨＤ素材収録サーバ１０１は、上位制御装置３からＨＤ素材収録要求（ステップＳ３ａ）を受信すると、入力Ｉ／Ｆ１７によりＨＤ素材データの取り込みを開始する（ステップＳ３ｂ）。ＣＰＵ１１は、エンコーダ１４により上記取り込まれたＨＤ素材データの圧縮処理を行い圧縮されたＨＤ素材データを素材記録装置１０３に記録する（ステップＳ３ｃ）。
【００１９】
ＨＤ素材収録サーバ１０１はＨＤ素材の収録処理を開始すると、ＳＤ素材収録用サーバ１０２に上位制御装置３を介してＨＤ素材コピー要求を送信し、収録中のＨＤ素材データを予備系システム２００にコピーするように指示する。（ステップＳ３ｄ）。ＳＤ素材収録用サーバ１０２は、ＨＤ素材コピー要求を受けると、素材記録装置１０３から圧縮記録されたＨＤ素材データを読み出し、ネットワークＩ／Ｆ１８により予備系システム２００に向け転送する（ステップＳ３ｅ）。予備系システム２００のＳＤ素材収録用サーバ２０２は、転送されてくるＨＤ素材データを記録装置２０３に収録する。
【００２０】
一方、上位制御装置３がＳＤ素材収録用サーバ１０２にＳＤ素材収録要求を送信すると（ステップＳ３ｆ）、ＳＤ素材収録用サーバ１０２はＳＤ素材データの取り込みを開始する（ステップＳ３ｇ）。このとき、ＣＰＵ１１は、エンコーダ１４によりＳＤ素材データの圧縮処理を行い、圧縮されたＳＤ素材データを素材記録装置１０３に記録する（ステップＳ３ｈ）。
【００２１】
ＳＤ素材収録用サーバ１０２はＳＤ素材の収録処理を開始すると、ＨＤ素材収録用サーバ１０１に上位制御装置３を介してＳＤ素材コピー要求を送信し、収録中のＳＤ素材データを予備系システム２００にコピーするように指示する（ステップＳ３ｉ）。ＨＤ素材収録用サーバ１０１は、素材記録装置１０３から圧縮記録されたＳＤ素材データを読み出し、予備系システム２００に向け転送する（ステップＳ３ｊ）。予備系システム２００のＨＤ素材収録用サーバ２０２は、転送されてくるＳＤ素材データを記録装置２０３に収録する。
【００２２】
図４は、本実施形態との比較のため一般的な素材収録システムの一例を示す全体構成図である。  
このシステムは、現用系システム３００と予備系システム４００とを備え、これらのシステムを制御する上位制御装置５が設けられる。ここでは、上位制御装置５は、ＨＤ素材収録用サーバ３０１，４０１にＨＤ素材を収録させると共に、収録される素材を他方の系へコピーさせる。また、ＳＤ素材収録用サーバ３０２，４０２にＳＤ素材の収録及びコピー処理を行わせる。このようにすると、ＨＤ素材収録用サーバ３０１，４０１の方が、ＳＤ素材収録用サーバ３０２，４０２よりＣＰＵの負荷が多くかかり、サーバと素材記録装置との間やサーバと他方の系のサーバと間の伝送帯域を多く必要とする。そのため、ＨＤ素材収録サーバ３０１，４０１には、ＣＰＵの処理性能や伝送性能に高いスペックが必要となる。
【００２３】
これに対して本実施形態では、図１に示したように、ＨＤ素材のコピーは、ＳＤ素材収録サーバ１０２，２０２で行い、ＳＤ素材のコピーは、ＨＤ素材収録サーバ１０１，２０１で行うようにする。このように構成することで、ＨＤ素材収録サーバ１０１，２０１でのＣＰＵの負荷、伝送路の使用帯域をＳＤ素材収録サーバ１０２，２０２に均等に分散することができ、ＨＤ素材収録サーバ１０１，２０１とＳＤ素材収録サーバ１０２，２０２とで同様な構成をとることが可能となる。
【００２４】
さらに、このように負荷を分散することにより、現用系、予備系それぞれのシステムは、互いに異なる内容の素材データを収録し、相互に転送し収録し合うことで、両方の系から収録処理を同時に行うことが可能となる。これにより、素材の収録チャネルを増やすことができ、一度に収録できるデータ量が増えるため、収録処理をより効率的に行うことが可能となる。
【００２５】
なお、この発明は、上記実施形態に限定されるものではない。例えば、上記実施形態では、各サーバから上位制御装置３を介して素材コピー要求を送信するように構成したが、上位制御装置３が各サーバの収録状況を把握して素材コピー要求を送信するようにしても良い。また、ＨＤ素材収録用サーバ１０１とＳＤ素材収録用サーバ１０２の間、ＨＤ素材収録用サーバ２０１とＳＤ素材収録用サーバ２０２の間をそれぞれ伝送路で接続し、各サーバ同士が直接通信を行い素材のコピー処理を分担して行うようにすることもできる。
【００２６】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００２７】
【図１】この発明に係わる素材収録システムの一実施形態を示す全体構成図。
【図２】図１に示す素材収録用サーバの構成を示すブロック図。
【図３】図１に示す素材収録システムの素材収録動作の手順を示すシーケンス図。
【図４】一般的な素材収録システムの一例を示す全体構成図。
【符号の説明】
【００２８】
１００…現用系システム、２００…予備系システム、３…上位制御装置、１０１，２０１…ＨＤ素材収録用サーバ、１０２，２０２…ＳＤ素材収録用サーバ、１０３，２０３…素材記録装置、１１…ＣＰＵ、１２…バス、１３…メモリ、１４…エンコーダ、１５…制御装置インタフェース、１６…記録装置インタフェース、１７…入力インタフェース、１８…ネットワークインタフェース。
【図１】
2008067221.tif 000003
【図２】
2008067221.tif 000004
【図３】
2008067221.tif 000005
【図４】
2008067221.tif 000006